(57)【要約】【課題】  ナットやボルトは勿論フレヤーナットなどに幅広く用いることができながら、組付時にはスパナ本体と操作レバー側との角度を変更できるようにして、操作レバーによる回転操作時に常にスパナ本体とナット体との間で十分な係合が得られ、強固な締め付けやスムーズな回転操作が行えるスパナレンチを得る。【解決手段】  中心部に一端が開口する正十二角形状の係合孔２ａを有するＣ形頭部２と該頭部２の他端に外方に向かって突設される首部３とを有するスパナ本体１と、首部３に一端部が枢支ピン４により揺動可能に支持され、他端部に操作レバーＡの先端係合部ａが嵌込みにより係止される係合角孔５ａを備えた操作レバー用連結体５とからスパナレンチを構成した。【選択図】図１
0003137679.tif 000002
【実用新案登録請求の範囲】
【請求項１】
中心部に一端が開口する正十二角形状の係合孔を有するＣ形頭部と該頭部の他端に外方に向かって突設される首部とを有するスパナ本体と、首部に一端部が枢支ピンにより揺動可能に支持され、他端部に操作レバーの先端係合部が嵌込みにより係止される係合角孔を備えた操作レバー用連結体とから構成したことを特徴とするスパナレンチ。
【請求項２】
係合孔の開口幅がフレヤーナットにおけるパイプの幅よりもやや大きくした寸法に設定され、かつ係合孔における係合突部の個数を十個設けるようにしたことを特徴とする請求項１に記載のスパナレンチ。
【考案の詳細な説明】
【技術分野】
【０００１】  本考案は、フレヤーナット、或いはボルトやナットなどを締め付ける際に用いるスパナレンチに関する。
【背景技術】
【０００２】  従来、例えばフレヤーナットを所定のパイプの先端螺子部に締め付けたり、緩めたりする締付工具としては、中心部に一端が開口する正六角形状の係合孔を有するＵ形頭部と該頭部の中間部から一体に外方へ延びるように連設される操作レバー部とを備えたスパナが知られている。【０００３】  そして、フレヤーナットを締め付けたり、緩めたりする場合、上記スパナのＵ形頭部をその開口部分からフレヤーナットにおけるナット体の六角側面部分に側方から差し込んで係合させ、その後、操作レバー部の一方向への回転操作を繰り返し行うことにより、ナット体を締付方向又は緩め方向に回転させてフレヤーナットの締め付けを行ったり、緩めたりするようにしている。
【考案の開示】
【考案が解決しようとする課題】
【０００３】  ところで、上記したＵ形頭部と操作レバー部とが一体に形成されたスパナを用いる場合、多数フレヤーナットが密集して取付けられるような狭い場所では、フレヤーナットにおけるナット体の六角側面部分に対してスパナの操作レバー部を水平に倒した状態でＵ形頭部を係合させることができなかったり、或いはスパナの操作レバー部を水平に倒した状態で揺動させることができなくなることがある。そのため、操作レバー部を直立に近い状態に傾斜させたうえでＵ形頭部をナット体に係合させ、その状態で揺動させることになる。すると、Ｕ形頭部の係合孔とナット体の六角側面部分との十分な係合が得られなくなり、操作レバー部による揺動操作時にナット体からＵ形頭部が外れ易いばかりか、スパナ側からの回転力も伝えにくくなる。そのため、締め付けたり、緩めたりするのに手間がかかるばかりか、強固な締め付けや迅速な緩め操作が行えないといった問題を有していた。【０００４】  そこで、本考案は、六角、四角、十二角のナットやボルトは勿論フレヤーナットなどに幅広く用いることができながら、しかも組付時にはスパナ本体と操作レバー側との角度を変更できるようにして、操作レバーによる回転操作時に、常にスパナ本体とナット体との間において十分な係合が得られ、締め付けたり、緩めたりする操作が迅速に、かつ強固な締め付けやスムーズな回転操作が行えるスパナレンチの提供を課題とする。
【課題を解決するための手段】
【０００５】  上記問題を解決するため本願の請求項１に記載の考案は、中心部に一端が開口する正十二角形状の係合孔を有するＣ形頭部と該頭部の他端に外方に向かって突設される首部とを有するスパナ本体と、首部に一端部が枢支ピンにより揺動可能に支持され、他端部に操作レバーの先端係合部が嵌込みにより係止される係合角孔を備えた操作レバー用連結体とから構成したことを特徴とする。【０００６】  また、請求項２に記載の考案は、請求項１に記載の構成に加えて、係合孔の開口幅がフレヤーナットにおけるパイプの幅よりもやや大きくした寸法に設定され、かつ係合孔における係合突部の個数を十個設けるようにしたことを特徴とする。
【考案の効果】
【０００７】  本考案のスパナレンチによれば、上記した構成により六角、四角、十二角のナットやボルトは勿論フレヤーナットなどに幅広く用いることができながら、しかも組付時にはスパナ本体のＣ形頭部と操作レバー用連結体との間で首振り可能となっているので、丸形係合部と操作レバーとの角度を自由に変更することができる。これにより例えば多数フレヤーナットが密集して取付けられスペース的に制約がある場合、フレヤーナットのナット体の六角側面にスパナ本体のＣ形頭部における係合孔を確実に係合させた状態のまま操作レバー部のみを丸形係合部に対し水平方向から垂直方向傾斜させることにより、操作レバーによるナット体の回転操作時にＣ形頭部とナット体との十分な係合を維持した状態で締め付けたり、緩めたりすることができる。その結果、回転操作時にＣ形頭部がナット体から不用意に外れたりすることがなく、強固な締め付けが行えると共に、回転操作がスムーズで迅速に行える。【０００８】  また、Ｃ形頭部における係合孔の開口幅をフレヤーナットにおけるパイプの幅よりもやや大きくした寸法に設定し、かつ係合孔における係合突部の個数を十個設けるようにすれば、ナット体の上方から差し込んで係合させることによりナット体を抱き抱えるように係合させることができる。つまり、フレヤーパイプをもつフレヤーナットのナット体に係合できるように一端を開口させたＣ形頭部であっても、ナット体からの側方への抜け出しがないようにナット体を抱き抱えるように係合させることができる。その結果、回転操作時にＣ形頭部がナット体からより確実に外れたりするのを防止でき、強固な締め付けが行えると共に、回転操作がスムーズでかつ迅速に行える。
【考案を実施するための最良の形態】
【０００９】  以下、本考案の実施の形態を図に基づいて説明する。
図１〜図４は本考案に係るスパナレンチを示し、このスパナレンチは、中心部に一端が開口する正十二角形状の係合孔２ａを有するＣ形頭部２と該頭部２の他端に外方に向かって突設される首部３とを有するスパナ本体１と、首部３に一端部が枢支ピン４により揺動可能に支持され、他端部に操作レバーＡの先端係合部ａが嵌込みにより係止される断面多角形（図では断面正四角形）の係合角孔５ａを備えた操作レバー用連結体５とから構成されている。【００１０】  スパナ本体１０の首部３は図３及び図４に示すように側面視円形状となっている。また、操作レバー用連結体５は、円柱状で図３及び図４に示すようにその先端部に首部３を受け入れる凹部５ｂをもつ半球状部５ｃを備え、半球状部５ｃの上下面は肉薄状に面取りされている。【００１１】  また、Ｃ形頭部２における係合孔２ａの開口幅Ｌは、図２に示すようにフレヤーパイプ１１とナット体１２とからなるフレヤーナット１０におけるフレヤーパイプ１１の幅Ｄよりもやや大きくした寸法に設定され、かつ係合孔２ａにおける係合突部２ｂ…２ｂの個数を十個設けて、Ｃ形頭部２をナット体１２の上方から差し込んで係合させたとき、Ｃ形頭部２がナット体１２を抱き抱えるように構成している。【００１２】  次に、以上のように構成するスパナレンチの作用について説明する。【００１３】  例えば図５に示すように多数フレヤーナット１０…１０やその他の部材が密集して取付けられ、締付或いは緩めようとするフレヤーナット１０に対してスペース的に制約を受ける場合、先ず、フレヤーナット１０のフレヤーパイプ部分１１にＣ形頭部２をその開口部分を介して挿入する。次に、Ｃ形頭部２をナット体１２の上方から差し込んで係合させることにより図２に示すようにナット体１２を抱き抱えるように係合させる。このとき、係合孔２ａの開口幅Ｌをフレヤーパイプ１１の幅Ｄよりもやや大きくしただけの寸法、つまりフレヤーパイプ１１を係合孔２ａ内に挿入できるだけの寸法に設定し、これにより係合孔２ａにおける係合突部２ｂ…２ｂの個数を十個設けるようにしているので、一端を開口させたＣ形頭部２であっても、その係合時には、Ｃ形頭部２がナット体１２に対しその側方へ抜け出したりすることがないようナット体１２を抱き抱えて確実に係合できるようになっている。【００１４】  また、上記したＣ形頭部２のナット体１２への装着時、スパナ本体１のＣ形頭部２と操作レバー用連結体５との間で首振り可能となっているので、図４及び図５に示すようにＣ形頭部２と操作レバーＡとの角度を自由に変更することができる。これにより多数フレヤーナット１０…１０が密集して取付けられスペース的に制約があっても、フレヤーナット１０のナット体１２の六角側面にスパナ本体１のＣ形頭部２における係合孔２ａを確実に係合させた状態のまま操作レバーＡのみをＣ形頭部２に対し水平方向から垂直方向に傾斜させることができる。これにより、操作レバーＡの操作によるナット体１２の回転操作時、スペース的に制約があっても操作レバーＡを垂直方向に傾斜させることによりＣ形頭部２とナット体１２との間において十分な係合を維持した状態で、締め付けたり、緩めたりすることができる。その結果、スペース的に制約があ��ても回転操作時にＣ形頭部２がナット体１２から不用意に外れたりすることがないし、強固な締め付けが行えると共に、回転操作がスムーズで迅速に行える。【００１５】  以上の説明では、スパナレンチをフレヤーナット１０に用いる場合について説明したけれども、この他例えば六角、四角、十二角などのナットやボルト、或いは図６に示すように角部に係合凹部２０ａ…２０ａをもつ正方形状のボルト２０又はナットなどにも幅広く用いることができる。
【図面の簡単な説明】
【００１６】
【図１】  本考案に係るスパナレンチの縦断横面図である。
【図２】  同スパナレンチの平面図である。
【図３】  同スパナレンチの正面図である。
【図４】  同スパナレンチのＣ形頭部と操作レバー用連結部との角度変更状態の説明図である。
【図５】  同スパナレンチの使用状態の説明図である。
【図６】  別の使用状態の説明図である。
【符号の説明】
【００１７】１              スパナ本体
２              Ｃ形頭部
２ａ            係合孔
３              首部
４              枢支ピン
５              操作レバー用連結体
５ａ            係合角孔
【図１】
0003137679.tif 000003
【図２】
0003137679.tif 000004
【図３】
0003137679.tif 000005
【図４】
0003137679.tif 000006
【図５】
0003137679.tif 000007
【図６】
0003137679.tif 000008